(57)【要約】【課題】如何なる被縫製物も簡単且つ容易で、素材自体に負担を与えることなく、所望する縫い方で綺麗に縫製することができるミシン用押金圧調整装置を提供する。【解決手段】様々な素材の被縫製物Ｂを所望する縫い方で縫製するとき、ミシンＡの運転速度を、その被縫製物Ｂの素材及び縫い方に応じた速度に制御する。つまり、踏み板１４の踏み込む度合いに追従して低速から高速又は高速から低速に移行させ、その踏み込む度合いに応じてミシン用押金圧調整装置１を作動させ、被縫製物Ｂに押圧された押え金Ａｄの圧力を自動調整するので、如何なる被縫製物Ｂも簡単且つ容易で、素材自体に負担を与えることなく、所望する縫い方で綺麗に縫製することができる。【選択図】  図１
2006158800.tif 000002
【特許請求の範囲】
【請求項１】
ミシンのアーム部に垂下された押え棒上端に浮上調節ネジと押え圧調節ネジを互いに当接して取付け、該当接の反力により押え棒を押えバネに抗して上昇させる押え金浮上装置を備え、
上記ミシンのアーム部に対して上記押え棒と平行して取付けられた外筒の上端側開口部に、上記浮上調節ネジを加圧するための引きバネが装填された内筒を上下動可能に挿入保持し、
上記外筒上端に突出する内筒上端に固定した連結バーの端部を、上記浮上調節ネジの上端に当接又は連結し、
上記引きバネ上端を上記内筒の上端側内部に固定し、該引きバネの下端側中心部にワイヤー上端を係止して、
上記外筒下端から引き出されたワイヤーと、上記ミシンの駆動を制御する制御部とを、該ミシンの運転速度を可変する踏み板に連結した
ミシン用押金圧調整装置。
【請求項２】
上記引きバネ内に組み込まれた押しバネ下端を、該引きバネ下端に固定した受け部材に当接し、
上記受け部材の中心部に挿通したワイヤー上端を、上記押しバネ上端に固定した
請求項１に記載のミシン用押金圧調整装置。
【請求項３】
上記引きバネの復元力を、上記押しバネが圧縮されたときに蓄積された復元力で下方に引き下げられるような強さに設定した
請求項１又は２に記載のミシン用押金圧調整装置。
【請求項４】
上記押しバネを、上記引きバネが引き下げ開始されるまで圧縮されるような強さに設定した
請求項１又は２に記載のミシン用押金圧調整装置。
【発明の詳細な説明】
【技術分野】
【０００１】
この発明は、例えばニット、メリヤス、新素材、難素材等の様々な素材の被縫製物を所望する縫い方で縫製するときに起きる縫製不良現象を解消又は解決することができるミシン用押金圧調整装置に関する。
【背景技術】
【０００２】
従来、上述のようなミシンによる縫製時に起きる縫製不良現象を解消する装置としては、例えば被縫布の厚さにより被縫物の押え圧を制御する手段を備えるミシンに於いて、被縫布の厚さの変化を検出する手段と、弾性体に構成されたことを特徴とする特許文献１のミシンの布押え圧制御装置がある。しかし、上述の装置は、予め設定された圧力でミシンの押し棒下端に取付けた押え金で被縫製物を押圧するので、ミシンの縫製速度を低速と高速との間で変化する過程で、被縫製物の縫い付け部に、例えばパッカリングやズレ、針り目の不揃い、段差の詰まり、伸縮、変形等の縫製不良現象が起こりやすく、且つ、被縫製物の縫い目に、例えば波打ち、連れ、皺、縫いズレ等の乱れが生じるため、縫製作業に熟練及び経験が必要であり、それらが発生しないように被縫製物の縫い付け部を修正するか、ゆっくりと縫製しなければならず、作業性が悪いという問題点を有している。また、作業者個人の技能に任せて問題の発生に対処するには、ノッチを多くして、ズレや伸縮等を強引にノッチで合わせるか、ミシンの運転速度を低下させる等の様々な方法で対処している。
【０００３】
【特許文献１】実開平０７−０３７０５２号公報
【発明の開示】
【発明が解決しようとする課題】
【０００４】
この発明は上記問題に鑑み、如何なる被縫製物も簡単且つ容易で、素材自体に負担を与えることなく、所望する縫い方で綺麗に縫製することができるミシン用押金圧調整装置の提供を目的とする。
【課題を解決するための手段】
【０００５】
請求項１に記載した発明のミシン用押金圧調整装置は、ミシンのアーム部に垂下された押え棒上端に浮上調節ネジと押え圧調節ネジを互いに当接して取付け、該当接の反力により押え棒を押えバネに抗して上昇させる押え金浮上装置を備え、上記ミシンのアーム部に対して上記押え棒と平行して取付けられた外筒の上端側開口部に、上記浮上調節ネジを加圧するための引きバネが装填された内筒を上下動可能に挿入保持し、上記外筒上端に突出する内筒上端に固定した連結バーの端部を、上記浮上調節ネジの上端に当接又は連結し、上記引きバネ上端を上記内筒の上端側内部に固定し、該引きバネの下端側中心部にワイヤー上端を係止して、上記外筒下端から引き出されたワイヤーと、上記ミシンの駆動を制御する制御部とを、該ミシンの運転速度を可変する踏み板に連結したことを特徴とする。
【０００６】
上記被縫製物は、例えばニット、メリヤス、新素材、難素材等の様々な素材で構成することができる。また、被縫製物の縫い方は、例えばステッチ縫い、地縫い、バイアス縫い、異質素材の縫い合わせ等の何れか一つ又は複数の組み合わせで構成することができる。
【０００７】
上記押え金浮上装置を備えたミシンを用いて、様々な素材の被縫製物を所望する縫い方で縫製する場合、ミシンの運転速度を、その被縫製物の素材及び縫い方に応じた速度に踏み板で制御する。つまり、踏み板（又はペダル）の踏み込む度合いに応じて、ワイヤーを介して引きバネを引き下げるとともに、その引きバネに蓄積される引き下げ力（復元力）を、内筒及び連結バーを介して、押え金浮上装置の浮上調節ネジに伝達し、被縫製物に押圧された押え金の圧力を増加又は減衰させる。且つ、ミシンの運転速度を低速から高速又は高速から低速に変化させ、踏み板の踏み込む度合いに追従してミシン用押金圧調整装置を作動させ、被縫製物に押圧された押え金の圧力を自動調整するので、素材自体に負担を与えることなく、所望する縫い方で綺麗に縫製することができる。
【０００８】
また、ミシンの運転開始（スタート作動）から低速に移行する間は、被縫製物に押圧された押え金の圧力に変化を与えず、例えば中高速から高速に移行するときに押え金の圧力を徐々に強める。ミシンの運転速度を高速から低速に移行するとき押え金の圧力を徐々に弱める。
【０００９】
請求項２に記載した発明のミシン用押金圧調整装置は、上記請求項１記載の構成と併せて、上記引きバネ内に組み込まれた押しバネ下端を、該引きバネ下端に固定した受け部材に当接し、上記受け部材の中心部に挿通したワイヤー上端を、上記押しバネ上端に固定したことを特徴とする。つまり、ワイヤーを介して押しバネが圧縮されたとき、その押しバネに蓄積された復元力により引きバネが引き下げられ、その引きバネに蓄積される引き下げ力（復元力）を、内筒及び連結バーを介して、押え金浮上装置の浮上調節ネジに伝達する。
【００１０】
請求項３に記載した発明のミシン用押金圧調整装置は、上記請求項１又は２に記載の構成と併せて、上記引きバネの復元力を、上記押しバネが圧縮されたときに蓄積された復元力で下方に引き下げられるような強さに設定したことを特徴とする。つまり、踏み板の踏み込む度合いに応じて、引きバネに蓄積される引き下げ力（復元力）が増加し、内筒及び連結バーを介して、押え金浮上装置の浮上調節ネジに圧力を加える。
【００１１】
請求項４に記載した発明のミシン用押金圧調整装置は、上記請求項１又は２に記載の構成と併せて、上記押しバネを、上記引きバネが引き下げ開始されるまで圧縮されるような強さに設定したことを特徴とする。つまり、踏み板の踏み込み初期時において、ワイヤーを介して押しバネのみが圧縮され、引きバネに付与される圧力を吸収して、ミシンの低速運転時において押え金浮上装置の浮上調節ネジに圧力を伝達しない。
【発明の効果】
【００１２】
この発明によれば、ミシンの運転速度に応じて、被縫製物に押圧された押え金の圧力をミシン用押金圧調整装置が自動調整するので、如何なる被縫製物も簡単且つ容易で、素材自体に負担を与えることなく、所望する縫い方で綺麗に縫製することができる。また、ミシンの運転速度が速くなるほど被縫製物に付与される圧力が高くなるので、高速運転時における縫製不良現象（又は地団太現象）を無くすことができ、アタッチメントに属するような簡単な装置でありながら、縫製時において生じる様々な問題を解消及び解決することができる。
【００１３】
また、ミシン用押金圧調整装置を標準ミシンに装着すれば、作業者の経験及び熟練した技術により縫製されていた大半の被縫製物を、未熟な作業者であっても簡単且つ容易に縫製することができ、作業者に与える労力負担が軽減され、縫製作業が楽に行える。且つ、標準ミシンの機能が大幅に変えられるので、縫製精度及び縫製能力、商品価値、生産性を向上させることができる。
【００１４】
また、ミシン用押金圧調整装置と押え金浮上装置とを連結バーにより一体的に連結するだけであるので、本発明の装置をミシンに対して簡単且つ容易に取付けることができ、メンテナンスや調整操作が不要となるだけでなく、コンパクト、廉価の要点を満たすものとなる。また、例えば特殊ミシン、専用ミシン等が持つ機能を標準ミシンに対して簡単且つ容易に付加することができる。
【発明を実施するための最良の形態】
【００１５】
この発明は、如何なる被縫製物も簡単且つ容易で、素材自体に負担を与えることなく、所望する縫い方で綺麗に縫製することができるという目的を、ミシンの運転速度に応じて、被縫製物に押圧された押え金の圧力をミシン用押金圧調整装置が自動調整することで達成した。
【実施例】
【００１６】
この発明の一実施例を以下図面に基づいて詳述する。  
図面は、ミシンの運転速度に応じて、被縫製物に押圧された押え金の圧力を自動調整するミシン用押金圧調整装置を示し、図１に於いて、このミシン用押金圧調整装置１は、後述する押え金浮上装置３０（実開平６−３１６７５号公報）と組み合わせてミシンＡのアーム部Ａａに装着され、ミシンＡの運転速度に応じて、被縫製物Ｂに押圧された押え金Ａｄの圧力を自動調整するものである。
【００１７】
上記ミシン用押金圧調整装置１は、図３、図４にも示すように、上端側が開口され下端側が閉塞された外筒２を、ミシンＡのアーム部Ａａ上面に固定された取付け台４の突出側端部に垂直に差し込んで締付け固定し、上端側が閉塞され下端側が開口された内筒３を、外筒２内部に対して上下動可能に挿入保持している。
【００１８】
且つ、内筒３を外筒２に挿入するとき、コイル状の引きバネ５及び押しバネ８を内筒３に装填したまま挿入して、その引きバネ５の上端を内筒３の上端側内部に止め部材６で固定する。
【００１９】
且つ、ミシン用押金圧調整装置１と、後述する押え金浮上装置３０とを連動する連結バー７の一端側を、外筒２上端に突出される内筒３上端にネジで固定し、連結バー７の他端側下面に突出される当接部７ａを、後述する浮上調節ネジ３３（又は押え棒Ａｇ）の上端に当接又は連結している。
【００２０】
且つ、外筒２の高さを取付け台４に対して上下方向に昇降調節し、外筒２の上端側縁部と内筒３の上端側縁部との隙間Ｈを、略２ｍｍとなるように設定している。また、隙間Ｈを、略２ｍｍ以下又は略２ｍｍ以上に可変調節することもできる。
【００２１】
且つ、ミシンＡのアーム部Ａａ上面に突出するミシン用押金圧調整装置１及び押え金浮上装置３０の高さを、略６０ｍｍとなるように標準設定している。また、高さを、場合により略６０ｍｍ以下又は略６０ｍｍ以上に可変調節することもできる。
【００２２】
且つ、引きバネ５にコイル状の押しバネ８を組み込むとき、ワイヤー９上端を引きバネ５下端に固定した受け部材１０の中心部に挿通して、その押しバネ８の上端に係止される止め部材１１に固定した後、引きバネ５内の中心部に押しバネ８を一体的に組み込んで、押しバネ８下端を引きバネ５下端に固定した受け部材１０に当接する。また、受け部材１０に挿通したワイヤー９の下端は、外筒２の下端側中心部に形成した孔部２ａから外部に引き出され、その孔部２ａに連結したチューブ１２に挿入している。
【００２３】
上記ワイヤー９及びチューブ１２は、ミシンＡ側部のミシン台Ａｅに形成した孔部Ａｆから下方に引き出され、ワイヤー９の下端をミシン台Ａｅ下部の支軸１３に取付けられた踏み板１４（ペダル）に対して後述するピットマン棒１８及び連結部材１９を介して連結し、チューブ１２の下端を調節ボルト１５の端部に固定した規制部材１６に連結し、チューブ１２の下端から引き出したワイヤー９をピットマン棒１８上に取付けた連結部材１９に連結している。
【００２４】
上記調節ボルト１５は、後述する取付け台１７に対してミシン台Ａｅ下部の枠部Ａｇと略直交する方向に取付けられ、チューブ１２の下端を調節ボルト１５の端部に固定した規制部材１６に連結し、そのチューブ１２及び規制部材１６から引き出したワイヤー９を連結部材１９に連結している。
【００２５】
且つ、ワイヤー９下端を連結部材１９上端に形成した受け部１９ａに対して回動自在に連結し、連結部材１９の下端をピットマン棒１８上に固定した支持部材２０に対してボルト２１で回動自在に連結し、規制部材１６と連結部材１９との間にコイルバネ２２を圧縮装填して、連結部材１９を、踏み板１４の踏み込み動作に応じてワイヤー９が略垂直に引き下げられる角度に回動自在に設けている。
【００２６】
上記取付け台１７は、図２にもしめすように、ミシン台Ａｅ下部の枠部Ａｇに対してボルト２３及びナット２４で固定され、取付け台１７を枠部Ａｇ上の所望する位置に左右移動させてボルト２３及びナット２４で固定し、規制部材１６を調節ボルト１５の正逆回動操作により枠部Ａｇと略直交する方向に前後移動させる等して、規制部材１６を、踏み板１４の踏み込み動作に応じてワイヤー９が略垂直に引き下げられるように位置調節する。また、ピットマン棒１８は所望する長さに伸縮調節自在に設け、連結部材１９は、ピットマン棒１８上の所望する位置に移動調節自在に設けている。
【００２７】
上記踏み板１４は、ピットマン棒１８を介して、モーターが内蔵された制御部２５の可変レバー２６に連結され、図３にも示すように、踏み板１４の爪先側を足で前方に向けて踏み込むと、その踏み込む度合いに応じて、引きバネ５に組み込まれた押しバネ８が圧縮され、押しバネ８に蓄積された復元力により引きバネ５が引き下げられるとともに、ピットマン棒１８を介して、制御部２５の可変レバー２６を高速側に回動し、ミシンＡの運転速度（又はモーターの回転速度）を低速から高速に変化させる。
【００２８】
且つ、踏み板１４の踏み込み動作に連動して、ワイヤー９上端が下方に引き下げられると、引きバネ５に組み込まれた押しバネ８が圧縮され、その押しバネ８に蓄積された復元力により引きバネ５が連動して引き下げられるので、引きバネ５に蓄積される引き下げ力（復元力）が増加し、内筒３を介して引きバネ５上端に固定した連結バー７に圧力が加えられる。その連結バー７に加えられた圧力は、後述する押え金浮上装置３０の浮上調節ネジ３３（又は押え棒Ａｇ）に伝達されるので、ミシンＡの運転速度が低速から高速に移行するほど、その運転速度に比例して、被縫製物Ｂに押圧された押え金Ａｄの圧力が強くなる。
【００２９】
一方、図４にも示すように、踏み板１４に対する踏み込む力を弱めると、引きバネ５及び押しバネ８の復元力によりワイヤー９が引き上げられ、踏み込む前の状態に復帰するとともに、可変レバー２６を低速側に回動し、ミシンＡの運転速度を高速から低速に変化させる。
【００３０】
且つ、ミシンＡの運転速度が低速になるほど、その運転速度に比例して、内筒３を介して引きバネ５上端に固定した連結バー７から圧力が取り除かれ、被縫製物Ｂに押圧された押え金Ａｄの圧力が低くなり、ミシンＡによる縫製作業時（高速運転時及び低速運転時）に起きるような縫製不良現象、例えばパッカリング、生地のズレ、縫い目の不揃い、伸縮、変形等が無くし、精度の高い縫製状態を保つことができる。
【００３１】
且つ、踏み板１４の踏み込み初期時は、押しバネ８が圧縮され、ミシンＡの運転速度が低速であるため、低速時に付与される圧力を吸収し、被縫製物Ｂに押圧された押え金Ａｄの圧力を低くする。一方、踏み板１４の爪先側を前側に踏み込んで、ミシンＡの運転速度を高速に移行するほど、引きバネ５に引く力が加わり、被縫製物Ｂに押圧された押え金Ａｄの圧力が高くなる。また、押しバネ８の圧縮は、ミシンＡの運転速度（モーターの回転速度）が一定速度に到達するまでのラグを吸収する。また、ミシンＡの運転停止後又は糸切り動作時に、踏み板１４の上昇を引きバネ５と押しバネ８で吸収する。
【００３２】
前記押え金浮上装置３０は、図１、図３、図４に示すように、既に公知の装置であるのでその詳細な説明を省略する。つまり、ミシンＡのアーム部Ａａに垂下される押え棒Ａｂを、ミシンＡのアーム部Ａａ上面に取付け台４を介して固定した押え圧調節ネジ３１で上下動自在に保持し、押え棒Ａｂの下端側受け部と押え圧調節ネジ３１の下端部との間に圧縮装填した押えバネ３２の復元力により、押え金Ａｄが取付けられた押え棒Ａｂを略垂直に押し下げられる方向に付勢している。
【００３３】
且つ、押え棒Ａｂ上端に取付けた浮上調節ネジ３３を押え圧調節ネジ３１の上端に当接して、その当接の反力により押え棒Ａｂを押えバネ３２の復元力に抗して上昇させる。つまり、浮上調節ネジ３３を右回動（締める）すると押え棒Ａｂが上昇し、左回動（緩める）すると押え棒Ａｂが下降し、押え圧調節ネジ３１と浮上調節ネジ３３との隙間を確認しながら圧力調整する。押え圧調節ネジ３１に取付けた固定ナット３４を緩め、押え圧調節ネジ３１を調節して、押えバネ３２のバネ圧を強弱調節する。
【００３４】
図示実施例は上記の如く構成するものにして、以下、ミシン用押金圧調整装置１により被縫製物Ｂに付与される圧力を自動調整する動作を説明する。
【００３５】
先ず、図１にも示すように、ミシンＡのアーム部Ａａに垂下した押え棒Ａｂを上下動させ、ミシン針Ａｃ直下の針落し位置に供給される被縫製物Ｂを、押え棒Ａｂ下端に取付けた押え金Ａｄで押圧する。
【００３６】
次に、様々な素材の被縫製物Ｂを所望する縫い方で縫製するとき、ミシンＡの運転速度を、その被縫製物Ｂの素材及び縫い方に応じた速度に制御する。踏み板１４の踏み込む度合いに追従して低速から高速又は高速から低速に移行させ、その踏み込む度合いに応じてミシン用押金圧調整装置１を作動させ、被縫製物Ｂに押圧された押え金Ａｄの圧力を自動調整する。
【００３７】
つまり、図３にも示すように、踏み板１４の踏み込む度合いに応じて、引きバネ５に組み込まれた押しバネ８が圧縮され、押しバネ８に蓄積された復元力により引きバネ５が引き下げられるとともに、ピットマン棒１８を介して、制御部２５の可変レバー２６が高速側に回動し、ミシンＡの運転速度が低速から高速に変化する。
【００３８】
且つ、ワイヤー９上端が下方に引き下げられると、引きバネ５に組み込まれた押しバネ８が圧縮されるが、引きバネ５が押しバネ８に蓄積される復元力で引き下げ開始されるまでは、低速時に付与される圧力を吸収し、被縫製物Ｂを押圧する押え金Ａｄの圧力を弱くする。
【００３９】
続いて、押しバネ８に蓄積された復元力により引きバネ５が連動して引き下げられると、引きバネ５の引き下げ力が増加し、引きバネ５上端に固定した連結バー７に圧力が加えられる。その連結バー７に加えられた圧力は、押え金浮上装置３０の浮上調節ネジ３３に伝達され、ミシンＡの運転速度が低速から高速に移行するほど、その運転速度に比例して、被縫製物Ｂを押圧する押え金Ａｄの圧力が強くなる。
【００４０】
一方、図４にも示すように、被縫製物Ｂのアール部分や曲線部分を縫い付ける場合、ミシンＡの運転速度を高速から低速に変化させるが、踏み板１４に対する踏み込む力を弱めると、引きバネ５及び押しバネ８の復元力によりワイヤー９が引き上げられ、可変レバー２６が低速側に回動し、ミシンＡの運転速度が高速から低速に変化する。
【００４１】
且つ、ミシンＡの運転速度が低速になるほど、引きバネ５上端に固定した連結バー７から圧力が取り除かれ、被縫製物Ｂを押圧する押え金Ａｄの圧力が低くなるため、ミシンＡの低速運転時に起きるような縫製不良現象、例えばパッカリング、生地のズレ、縫い目の不揃い、伸縮、変形等が起きることが無くなる。また、ミシン糸の糸切り作業は、ミシンＡの運転停止後（又はモーターの回転停止後）に行う。
【００４２】
以上のように、ミシンＡの運転速度に応じて、被縫製物Ｂに押圧された押え金Ａｄの圧力をミシン用押金圧調整装置１が自動調整するので、如何なる被縫製物Ｂも簡単且つ容易で、素材自体に負担を与えることなく、所望する縫い方で綺麗に縫製することができる。また、ミシンＡの運転速度が速くなるほど被縫製物Ｂに付与される圧力が高くなるので、高速運転時における縫製不良現象（又は地団太現象）を無くすことができる。また、アタッチメントに属するような簡単な装置でありながら、縫製時において生じる様々な問題を解消及び解決することができる。
【００４３】
また、ミシン用押金圧調整装置１を標準ミシンに装着すれば、作業者の経験及び熟練した技術により縫製されていた大半の被縫製物Ｂを、未熟な作業者であっても簡単且つ容易に縫製することができ、作業者に与える労力負担が軽減され、縫製作業が楽に行える。且つ、標準ミシンの機能が大幅に変えられるので、縫製精度及び縫製能力、商品価値、生産性を向上させることができる。
【００４４】
また、ミシン用押金圧調整装置１と押え金浮上装置３０とを連結バー７により一体的に連結するだけであるので、ミシン用押金圧調整装置１をミシンＡに対して簡単且つ容易に取付けることができ、メンテナンスや調整操作が不要となるだけでなく、コンパクト、廉価の要点を満たすものとなる。
【００４５】
また、ミシン用押金圧調整装置１と押え金浮上装置３０とを組み合わせることにより、例えば特殊ミシン、専用ミシン等が持つ機能を標準ミシンに対して簡単且つ容易に付加することができる。
【００４６】
また、ミシン用押金圧調整装置１と押え金浮上装置３０とを併用するよりも、一体的な装置として考えると押え金浮上装置３０の価値も一段とアップする。また、ミシン用押金圧調整装置１も格段の性能を内蔵する装置になり、縫製のエキスパートとして理解できる装置性能であることが明確である。
【図面の簡単な説明】
【００４７】
【図１】ミシン用押金圧調整装置の装着状態を示す側面図。
【図２】踏み板の取付け状態を示す側面図。
【図３】ミシン低速運転時の圧力付加状態を示す側面図。
【図４】ミシン高速運転時の圧力付加状態を示す側面図。
【符号の説明】
【００４８】
Ａ…ミシン
Ａａ…アーム部
Ａｂ…押え棒
Ａｄ…押え金
Ａｅ…ミシン台
Ｂ…被縫製物
１…ミシン用押金圧調整装置
２…外筒
３…内筒
４…取付け台
５…引きバネ
７…連結バー
８…押しバネ
９…ワイヤー
１０…受け部材
１４…踏み板
１８…ピットマン棒
２５…制御部
２６…可変レバー
３０…押え金浮上装置
３１…押え圧調節ネジ
３２…押えバネ
３３…浮上調節ネジ
３４…固定ナット
【図１】
2006158800.tif 000003
【図２】
2006158800.tif 000004
【図３】
2006158800.tif 000005
【図４】
2006158800.tif 000006